(57)【要約】【課題】高強度で多段積み重ねが可能であり、組立式で保管、回収が容易であり、特に壁面体の組立て及び取外しが容易で、かつ高強度の箱状体を形成することができ、各種寸法の荷物を安全に搬送することができる箱状コンテナの壁面構造を提供する。【解決手段】金属製又は樹脂製のパレット基台の上に直接的に起伏可能のロール支持板を設け、同じくパレット基台の上に直接的に壁面体支持用のアングルを設け、このアングル上に２対４面の樹脂製壁面体を順次組立て、その上から蓋をかけて、箱状体を形成するようにした。【選択図】      図１
2006347617.tif 000002
【特許請求の範囲】
【請求項１】
フォークリフトの爪を挿通可能の爪挿通孔を備えたパレット基台の上に荷物収納用の箱状体を形成し、その内部に収納した荷物を安全に移送するようにした箱状コンテナの壁面構造であって、
前記基台の前後及び左右の上端面に備えた支持アングル材と、これら支持アングル材上に組立及び分解自在の形で夫々載置される２対４面の壁面体と、これら壁面体を全て組立てた上でそれらの上端部を上面から覆う蓋とで構成し、
前記前後又は左右の支持アングル材と、それに接合される壁面体との接合関係を次の通りの構成（ａ）（ｂ）（ｃ）としたことを特徴とする箱状コンテナの壁面構造。
（ａ）壁面体の足部の底面を略平らとし、これを受ける支持アングル材の上面には前記足部を浅く受け、自然な状態では前記足部を垂直支持できる溝を設ける。
（ｂ）前記足部の上方を少し外側に傾けた状態から垂直姿勢にしながら前記足部の底面を前記溝に挿入すべく、前記支持アングル材の外側には足部案内部材を設け、前記足部の外側にはこの案内部材に案内される被案内部材を設ける。
（ｃ）前記足部が前記溝と嵌合され前記足部が垂直姿勢に支持された状態で前記足部が上昇するのを防ぐべく、前記足部の下方で外側には、その突出方向が外方となる突起を設け、前記アングル材側には、この突起の上面を上から押える突起規制面を設ける。
【請求項２】
前記前後又は左右の支持アングル材とそれに接合される壁面体の組合わせの内、前記（ａ）（ｂ）（ｃ）の構成を有する先組立部分と残りの後組立部分とが互いに交差する交差位置での両壁面体の接合関係を次の通りの構成（ｄ）（ｅ）（ｆ）としたことを特徴とする請求項１記載の箱状コンテナの壁面構造。
（ｄ）後組立部分における壁面体の足部を底面平らな単純足とし、これに対応する支持アングル材の上面を単純溝とする。
（ｅ）後組立部分の壁面体の両端上部に夫々１本のピンを設ける。
（ｆ）先組立部分の壁面体の両端上部には、前記１本のピンを上方から挿通可能で、前記単純足を前記単純溝に嵌合した状態では、これを上方にのみ抜き出し可能のピン案内溝を設ける。
【発明の詳細な説明】
【技術分野】
【０００１】
本発明は、高強度で多段積みの使用が可能であり、組立式で保管、回収が容易であり、各種寸法の光学フィルムのロール等内部収納物を安全に搬送することができる箱状コンテナの壁面構造に関する。
【背景技術】
【０００２】
例えば、携帯電話の液晶画面始め各種液晶画面に用いられる光学フィルムは、フィルム製造工場から偏光板組立工場へ搬送されねばならない。偏光板組立工場では、異なる種類の光学フィルムを複層重ね合わせて貼付し、それを数cm角の矩形にカッティングし、その１枚１枚の表面に傷や埃が付いていないかどうかを光学検査しつつ各種偏光板製品を製作している。この光学フィルムは汚れを嫌う他、運送中に少しでも傷が付けられると即不良品となってしまうので、丁寧に管理されて安全に搬送されねばならない。
【０００３】
従来のロールを搬送する手段としては、例えば特許公開２００２−８００８７号公報（ロール状物品のコンテナ）、特許公開２００２−１０４５７０号公報（ロール状材料用の梱包材及び巻芯用キャップ）に示されるものの例がある。
【０００４】
特許公開２００２−８００８７号公報に示されるロール状物品のコンテナは、ロール状物品の軸芯を両端支持する下箱と、その支持部の強化を行う軸芯受け部と、これらによって支持されるロール状物品の上から全体を覆う上箱とを有し、ロールを両端支持して宙吊り状態で収納する下箱及び上箱から成る箱体を汎用パレット上に載せて搬送可能としたものである。ロール状物品としては、アルミ箔材、銅箔材等の金属薄板や、写真のフィルム原反等の樹脂製薄板などをロール状に巻いたもの等とされているが、ダンボール製であるため自ずと支持可能な重量に限界があり、かつ使い捨て型に近いものであろうと推定される。また、段ボール製であるため、積み重ねが難しく、光学フィルム等損傷絶対禁止のロールへの適用は困難である。内部支持板の強度を高くすれば、重量物も搬送可能のようではあるが、パレット上でのずれや、多段積みによる倒壊の可能性があり、損傷絶対禁止の光学フィルムのロールには適用困難である。
【０００５】
特許公開２００２−１０４５７０号公報のロール状材料用の梱包材は、パレット上にロール両端を下方から支持する左右支持板を設け、これら支持板を前後方向から支えて起立状態を維持し、これら全体を底面開放の箱体でスッポリ覆うようにしたもので、多段積み可能であり、かつ箱体は折り畳み可能とされている。左右の支持板は前後に設けた前後側当板に設けた溝に対し嵌合設定されて起立されているので、相当高強度に作ることができ、高重量物も搬送可能であり、梱包不使用時の搬送、保管が容易で、再利用可能であり、光学フィルムへの適用も可能であるかのようである。しかしながら、光学フィルムの場合、ロール寸法は、直径６００mm、長さ１５００mm、重量３００〜８００kgに及ぶものであり、箱体を例え高強度としようとも段ボール製では限界があり、多段の段積みはほとんど不可能であった。また、再使用可能、段積み可能であると称しても、運送途中の荷の在り方、車、破損、振動その他の要因もあり、繰り返し使用の回数にも制限があり、信頼度に欠け、光学フィルムのロールに適用するのは難しかった。
【０００６】
箱状コンテナの壁面構造としては、これを組立式とすることが最も便利であると考えられる。また、組立方式としては折り畳み式でなく２対４面の壁面体を組立てるようにするのが最も好ましいと考えられる。これにより設計に自由度が生じ、壁面強度を大とすることができ、しかも１枚１枚の装脱作業において１人の作業員にて容易に処理することができ、折り畳み式のように破損の恐れもなく丈夫で長持ちできるからである。
【特許文献１】特許公開２００２−８００８７号公報、第１頁、図１
【特許文献２】特許公開２００２−１０４５７０号公報、第１頁、図１
【発明の開示】
【発明が解決しようとする課題】
【０００７】
本発明は光学フィルムのように外傷を特別嫌う荷物を箱状体内に収納し安全に搬送するに際し、パレット基台上で２対４面の壁面体を順次容易、迅速に組立てて箱状体を形成でき、しかも搬送終了後には容易、迅速に解体できて、省スペースにて回収可能であり、耐圧強度及び耐久性大にして多段積み及び繰り返しの利用が可能の箱状コンテナの壁面構造を提供することを目的とする。
【課題を解決するための手段】
【０００８】
上記課題を解決するための本発明の箱状コンテナ壁面構造は、フォークリフトの爪を挿通可能の爪挿通孔を備えたパレット基台の上に荷物収納用の箱状体を形成し、その内部に収納した荷物を安全に移送するようにした箱状コンテナの壁面構造であって、前記基台の前後及び左右の上端面に備えた支持アングル材と、これら支持アングル材上に組立及び分解自在の形で夫々載置される２対４面の壁面体と、これら壁面体を全て組立てた上でそれらの上端部を上面から覆う蓋とで構成し、前記前後又は左右の支持アングル材と、それに接合される壁面体との接合関係を次の通りの構成（ａ）（ｂ）（ｃ）としたことを特徴とする。
【０００９】
（ａ）壁面体の足部の底面を略平らとし、これを受ける支持アングル材の上面には前記足部を浅く受け、自然な状態では前記足部を垂直支持できる溝を設ける。
【００１０】
（ｂ）前記足部の上方を少し外側に傾けた状態から垂直姿勢にしながら前記足部の底面を前記溝に挿入すべく、前記支持アングル材の外側には足部案内部材を設け、前記足部の外側にはこの案内部材に案内される被案内部材を設ける。
【００１１】
（ｃ）前記足部が前記溝と嵌合され前記足部が垂直姿勢支持された状態で前記足部が上昇するのを防ぐべく、前記足部の下方で外側には、その突出方向が外方となる突起を設け、前記アングル材側には、この突起の上面を上から押える突起規制面を設ける。
【００１２】
従って、本発明の壁面体は、パレット基台に対し少し外に倒した状態で足部に設けた被案内部材をアングル材の案内部材で案内しながら垂直に起こすことにより足部底面をアングル材の溝の中に落とし込み自立させることができる。また、このとき自立された壁面体は外方に倒さない限りアングル材から引き離すことができず、壁面体上部を蓋で外方に倒れることがないよう固定するので、パレット基台に対し確実に固定できる。
【００１３】
また、本発明では、前記前後又は左右の支持アングル材とそれに接合される壁面体の組合わせの内、前記（ａ）（ｂ）（ｃ）の構成とした先組立部分と残りの後組立部分とが互いに交差する交差位置での両壁面体の接合関係を次の通りの構成（ｄ）（ｅ）（ｆ）としたことを特徴とする。
【００１４】
（ｄ）後組立部分における壁面体の足部を底面平らな単純足とし、これに対応するアングル材の上面を単純溝とする。
【００１５】
（ｅ）後組立部分の壁面体の両端上部に夫々１本のピンを設ける。
【００１６】
（ｆ）先組立部分の壁面体の両端上部には、前記１本のピンを上方から挿通可能で、前記単純足を前記単純溝に嵌合した状態では、これを上方にのみ抜き出し可能のピン案内溝を設ける。
【００１７】
従って、例えば左右の壁面体を先組立部分とし、前後の壁面体を後組立部分とする場合、左右の壁面体を組立てて自立させておき、後組立部分の壁面体のピンを先組立部分のピン案内部に案内しながらその単純足を単純溝に落し込み組立てることができる。また、このピンはピン案内溝内に案内されているので、先組立部分の壁面体及び後組立部分の壁面体の端面を相互に固定でき、全壁面体をパレット基台上で確実に固定できる。しかも、その上端は蓋で覆われるので、さらに確実に固定でき、強固な壁面構造を形成することができる。搬送終了後の箱状体の解体では、蓋を外し、ピンを上に抜いて後組立て壁面体を先に外し、次いで先組立壁面体を外に倒しつつ上に引抜くことにより２対４面の壁面体を容易、迅速に取り外すことができる。各壁面体は２〜５kg程度の重量に形成できるので、一人の作業者で容易に組立て分解できる。
【００１８】
パレット基台は金属又は樹脂製とすることができる。木材を組み合わせて使用するのは構わない。壁面体は適宜枠組みした樹脂製とすることができる。外周フレーム内に段ボールプラスチックを嵌め合わせた形とすることもできる。金属板を組み合わせて使用するのは構わない。木材板を組み合わせて使用するのも構わない。蓋は樹脂製とするが、木材に鉄板を巻いたものでも形成できる。いずれの場合も壁面体を組み合わせ、その上に蓋を載せた状態で、強度大にして上部からの数トンの圧力に耐えるよう形成する。壁面体は、耐水性を持たせ、外部からの物品ないし異物の突入により容易には破損しないだけの強度とする。これらの設計により、壁面体及び蓋１枚当りの重量は、夫々に相応の強度を持たせて１〜２m2当り２〜５kgで制作できる。
【００１９】
蓋の上面には、組立後の箱状体を多段積み可能とするため、位置ずれ防止手段を設ける。例えば蓋の上の４隅に凸起形状を設け、パレット基台の底面には、この凸起に対応する凹溝を設けること等で対応できる。
【００２０】
また、解体した壁面体を基台上に置いて、その上から前記蓋を被せることにより前記パレット基台を含めて肉薄の箱状体を一体形成可能である。従って、肉薄（例えば２８０mm）の箱状体を１０段以上も積み上げ可能であり、省スペースにて保管、回収ができる。
【発明の効果】
【００２１】
本発明は、特許請求の範囲に記載の通りの箱状コンテナの壁面構造であるので、高強度の壁面構造とすることができ、多段積み可能で、内部収納物に外傷を与えることがなく、内部に収納した荷物を安全に信頼性高く搬送することができる。
【００２２】
構成単位は、壁面体支持用のアングルを備えた基台と、２対４面の壁面体と、これを組立てた状態で上から覆う蓋とであるので、通常サイズのものは基台を除き夫々の単位部品を一人の従業者が軽く手で持つことができ、組立、分解が容易である。壁面体を折り畳みとはしないので、構造簡易で取り扱い易く、しかも故障しづらく汎用性が高い。
【００２３】
壁面体の組立ては、壁面体の上部を少し外に倒した状態で足部に設けた被案内部材を支持アングル材の案内部で案内し、壁面体を垂直に起こしてゆくことにより、足部底面をアングル材の溝内に落し込み自立させることができる。軽い壁面体を１人操作で容易に組立てることができる。このとき、足部の下方で下側には外向きの突起を設け、その上昇を抑える規制面を設けているので、壁面体を自立させた状態ではこれをそのまま上方に引き抜くことはできず、安定して固定できる。
【００２４】
例えば左右の壁面体を先組立部分として２面を自立させ、残り２面を後組立部分として組立ててゆくとき、後組立部分の壁面体の両端上部には１本のピンを設け、先組立部分の両端上部にはピン案内溝を設けているので、後組立部分の壁面体を上方から落とし込み、単純足を単純溝に嵌合させ、かつピンをピン案内部に案内することができ、容易に組立て可能であり、かつ壁面体相互を強固に結合することができる。
【００２５】
搬送作業の終了後、２対４面の壁面体を容易な操作で解体し、パレット基台の上に２対４面の壁面体を載せ、その上から蓋を被せれば、肉薄の箱状体をパレット基台と共に一体形成可能であり、省スペースでの保管、回収が可能である。
【発明を実施するための最良の形態】
【００２６】
以下、添付図面を参照しつつ本発明を実施するための最適の形態を説明する。図１は、本発明の壁面構造の一実施形態を示す拡大説明図で、（ａ）図は組立及び分解時の中間状態を、（ｂ）図は組立時の固定状態を示している。図２は、先組立部分に対する後組立部分の接合方式を示す拡大説明図で、（ａ）図は接合部分の拡大斜視図で、（ｂ）図は接合後の平面図を示す。図３は、基台パレットに対し各壁面体及び蓋の組立て概要を示す斜視説明図である。図４以下は光学フィルムのロールコンテナへの実施例を示し、図４は正面図、図５はその右側面図、図６はロール支持板の正面図、図７は図６のＦ−７、Ｆ−７線に沿った間隔調節部の説明図、図８は壁面外を取外してパレット基台上に載せ、その上から蓋を覆せて肉薄の箱状体に形成した例を示す正面図である。本発明の一実施形態では、図４〜図８に示すロールコンテナに図１〜図３の壁面構造が適用される。
【００２７】
図４及び図５に示すように、本発明の箱状コンテナの一実施形態に係る光学フィルムのロールコンテナ１は、光学フィルム巻取りロール２の芯棒３を宙吊り状態で両端支持すると共に、かつそれを箱型容器に収納した状態で搬送する光学フィルムのロールコンテナ１であって、フォークリフトの爪（図示せず）を挿通可能の爪挿通孔４を備えたパレット基台５と、この基台５上に対向配置され長手方向に沿って敷設されたガイドレール６と、このレール６上で両者の間隔を図４において左右に調節可能とすると共に蝶番部材７を介して起伏可能に形成した一対のロール支持板８（８Ｒ、８Ｌ）と、これらロール支持板８を起した状態を維持するための支持板自立手段（図６で詳述する）と、夫々が前記パレット基台５の平面面積よりも小さな形状とされ、前記ロール支持板８により前記ロール２を両端支持した上で前記パレット基台５の前面、後面、両側面（左右）に夫々立てられる２対４面の樹脂製壁面体９（９Ｒ、９Ｌ）、１０（１０Ｆ、１０Ｒ）と、この壁面体９、１０を組立てるために前記パレット基台５上に直接設けた壁面体支持アングル１１（１１Ａ、１１Ｂ）と、前記壁面体９、１０をパレット基台５上に組立てた上でその上から全体を覆う蓋１２とを有し、前記蓋１２の上面には、その上方に積み重ねられた同形コンテナ１の位置ずれを防止するための位置ずれ防止手段１３が備えられている。
【００２８】
パレット基台５は鉄製の例で示す。このパレット基台５の上に直接的に設けられる壁面体支持アングル１１は、側面部（左右）のもの（１１Ｓ）と前後面のもの（１１Ｎ）として、異なる形に製作されたものの例で示す。壁面体９、１０は２対４面で、右側面の壁面体を９Ｒ、左側面の壁面体を９Ｌ、前面側の壁面体を１０Ｆ、後面側の壁面体を１０Ｒで示している。
【００２９】
説明の都合により、先にロール支持板８について示すと、図６及び図７に示すように、前記ロール支持板８（８Ｌ）は、ガイドレール６上に支持板間隔調節手段１４で調節固定される移動体１５に蝶番部材７を介して固定されている。詳細には、図７に示すように、ガイドレール６には長手方向に沿って切り溝１６が設けられ、この切り溝１６内にボルト１７が案内されている。ボルト１７の頭部には手で回転操作可能のツマミ１８が設けられている。また、ボルト１７に螺合するナット部材１９が移動体１５の裏面に固定され、移動体１５とガイドレール６との間には滑り止めテープ２０が貼付されている。ガイドレール６とボルト１７の頭部の間にはワッシャ２１が介在されている。従って、ツマミ１８を回して緩めることにより、レール６上で移動体１５を移動させ、ロール支持板８Ｒ、８Ｌの間隔調節をすることができる。また、調整された位置でツマミ１８を回し、固定することができる。
【００３０】
図６において、前記蝶番部材７のヒンジ２２の周りには、支持板自立手段の一例として、コイルばね２３が添設されている。コイルばね２３の強さは、ロール支持板８（８Ｌ）をパレット基台５に伏せた状態（down）では、その姿勢を保持し、起立した状態（up）では、その起立状態を保持できる程度のものとする。ばねの力を余り強くせず、自然には起き上がれない程度とする位の方が使い勝手が良い。従って、ロール支持板８は、自然ではガイドレール６上に伏せた状態にあり、軽い力を与えると起き上がり、自立状態を保つことができる。支持板自立手段としては、この他蝶番部材７が閉じることがないよう、この部分に邪魔板を介在させたり、ヒンジ２２部分にピンを介在させたりすることで対応可能である。ただし、この種複雑な機構は取扱いを不便にするので、実用上、これらロック機構は省略して構わない。
【００３１】
ロール支持板８（８Ｒ、８Ｌ）の外側面には止め金２４が設けられている。この止め金２４は、付属のゴムバンド２５の金具を掛け止めるためのものである。ゴムバンド２５を芯棒３に架け回した上で、ゴムバンド２５の両端金具を止め金２４に引掛けることにより、ロール支持板８の中央に設けた半円状の孔部内で滑り止めゴム２６との間の摩擦力を増加させ、ロール２及び芯棒３の回転を阻止でき、安全を確保することができる。両ロール支持板８Ｒ、８Ｌは共に同一構成である。
【００３２】
さて、図３に示すように本発明のロールコンテナ１は、各壁面体９（９Ｒ、９Ｌ）、１０（１０Ｆ、１０Ｒ）を支持アングル１１Ｓ、１１Ｎ上で組立て、さらに、これらに蓋１２を被せることにより、全体を箱状に組立てることができる。左右側面の支持アングル１１Ｓと側面壁面体９（９Ｌ）の詳細な構造を図１に示す。
【００３３】
図１に示すように、本発明のロールコンテナ１の壁面構造は、パレット基台５上の４辺に２対４面の壁面体９、１０を順次組立て、その上から蓋１２を被せて箱状のコンテナを形成する壁面構造となっている。前記パレット基台５の両側面の各辺には、壁面体支持用アングル１１Ｓを配列し、この足部支持用の支持アングル１１Ｓの上に前記壁面体９Ｒ、９Ｌの足部を立てる形としている。
【００３４】
図１に示すように、前記壁面体９（９Ｒ、９Ｌ）の足部２７の断面形状は略矩形とし、その外側下方には前記壁面体９Ｌの上方移動を規制するための突起２８を設けると共に、その上方に前記支持アングル１１Ｓ側から上方に伸びる板状ビームによる案内部材２９の端面と緩く且つ深く嵌合（嵌合量をaとする）する被案内部材３０を設けている。
【００３５】
一方、前記支持アングル１１Ｓには、前記足部２７の底面３１を深さｂで浅く受ける底面嵌合溝３２と、この底面嵌合溝３２で前記底面３１を受けた状態で、前記底面嵌合溝３２の深さbより高い位置（寸法c）だけ離して前記突起２８と接触する突起規制面３３と、その上方で前記案内部材２９に向けて延伸される前記の案内部材２９とを設けている。各寸法、a、b、cについては、a＞c＞ｂの関係がある。
【００３６】
そこで、前記壁面体９Ｌの足部２７を前記支持アングル１１Ｓに嵌合し組立てるときは、（a）図に示すように前記壁面体９Ｌの足部の上方を少し外に倒した状態で前記被案内部材３０を前記案内部材２９に嵌合させ、次いで前記壁面体９Ｌを垂直に起こして前記足部２７の底面３１を前記底面嵌合溝３２に落とし込んで（ｂ）図のように組立てることができる。この状態で、壁面体９は、支持アングル１１Ｓ上で自立できる。しかも、この状態で壁面体９Ｌを真上に上げると、突起２８及びその規制面３３が接合するので、壁面体９Ｌが上方に離隔することがない。また、前記壁面体９Ｌを前記支持アングル１１Ｓから外し分解するときは、前記壁面体９Ｌを少し持ち上げて前記の両規制面２８、３３を接触させつつ前記底面３１を前記底面嵌合溝３２より浮かせた上で前記壁面体９を少し外に倒して、前記被案内部材３０を前記案内部材２９から外すことができる。壁面体９Ｌの上面を手に持ち少し手前に引いて上に持ち上げるだけであるので、分解操作はとても簡単である。他方の壁面体９Ｒについても同様である。各壁面体９Ｒ、９Ｌの重量は２〜５kg程度と軽く、組立て、分解が容易で、取扱いに便利である。
【００３７】
次に、図２で示すように、前後の壁面体１０Ｆ、１０Ｒの側部フレームｆ１には内向きのＵ字形状が構成され、その上端から距離ｄ（４０mm）の所で、Ｕ字形状の外側側面(図において左方の面)に内側側面（図において右方の図）に向けてピン３４が突出されて設けられている。一方、左右の壁面体９Ｌ、９Ｒの端部には側部フレームｆ２が設けられ、このフレームｆ２には、前方から見て図の左方にＵ字を開いて隙間を開いた形で凹部３５が形成され、Ｕ字の手前側部端を開いた形の断面Ｕ字形状の部材が取付けられている。フレームｆ１の端辺を隙間に挿入してピン３４を側部フレームｆ２の凹部３５内に上から挿通し、前後壁面体１０Ｆ、１０Ｒの足部を単純足ＳＬとして支持アングル１１Ｎ内の単純溝ＳＤ内に落し込み、前後壁面体１０Ｆ、１０Ｒを支持アングル１１Ｎ上で支持して固定できる。支持アングル１１Ｎとしては左右の支持アングル１１Ｓと同様のものを用いた例で示した。この場合、案内部材２９は、単に壁面として機能する。前後壁面体１０Ｆ、１０Ｒを上方に引き抜くだけで取り外しできる。組立て及び取外しが容易で、かつ確実に固定できる。以上の通り、図２に示す取付構造において、断面Ｕ字形状のフレームｆ１、ｆ２を噛み合わせた形で組立てるので、壁面内外との間に直接的な隙間がなく、内部に収納した荷物の安全を図ることができる。
【００３８】
ピン３４及び凹部３５の関係において、ピン３４の取付け高さを天端より距離ｄmmは４０mmであるが、これは支持アングル１１Ｎの深さに関連して、できるだけ小さい値（１０〜５０mm）とするのが好ましい。挿入深さが深いので作業し易く、モーメントの関係で、その方が高強度となる。このピン３４は、Ｕ字形部材のフレームｆ１内に設けたが、これに限定されない。また、フレームｆ２は前記ピン３４を抱き込む形の形状としたが、これに限定されない。例えば、ピン３４をボルト形状とし、その頭部を溝内に案内するだけのような形でも良い。ただし、単なるピンは壁面内外に直接的な隙間を作ってしまうので、この種の隙間ができることがないよう構成することが必要である。
【００３９】
図１及び図２に示す壁面構造とすることにより、図１に示した壁面体９Ｒ、９Ｌを先に組立て、次いで前後の壁面体１０Ｆ、１０Ｒを組立てることにより、２対４面の壁面体を容易、迅速に組立てることができる。本発明では左右の壁面体９Ｒ、９Ｌを先組立部分、前後の壁面体１０Ｆ、１０Ｒを後組立部分とも呼ぶ。
【００４０】
図８に示すように、ロール２を外した状態では、ロール支持板８を伏せ、その上に各壁面体９、１０を順次載せることができ、その上から蓋１２で覆って肉薄の箱状体を一体形成できる。また、蓋１２の上には、位置ずれ防止手段１３を設けているので、多段積み重ねをした場合でも相互にずれることがない。
【００４１】
表１に実施例諸元を示す。
【表１】
2006347617.tif 000003
【００４２】
次に、以上の構成の光学式のロールコンテナ１について、使用形態を説明する。
【００４３】
図８に示すように、保管状態においては、パレット基台５の中にはロール支持板８（８Ｌ、８Ｒ）が伏せられ、その上に２対４面の壁面体９（９Ｌ、９Ｒ）、１０（１０Ｆ、１０Ｒ）が載せられ、その上から蓋１２が被せられている。ロールコンテナ１は、保管状態での全高は２８０mmで、組立前の耐荷重は１０トン以上、組立後の耐荷重は６トンであるので、組立前では１０段以上積み重ね可能で省スペースにて保管、移送できる。蓋１２の上面には位置ずれ防止手段１３を備えているので、多少の振動があってもずれ落ちるようなことはない。
【００４４】
次に、使用時では、図８に示すロールコンテナ１を所定の位置に配置し、蓋１２を開き、各壁面体９、１０を取り出し、ロール支持板８（８Ｌ、８Ｒ）を起こす。ロール支持板８の蝶番部材７にはコイルばね２３を設けているので、手で軽く引き起こすことができ、かつ自立させることができる。ツマミ１４を回転させ、ガイドレール６上でロール支持板８を移動させ、ロール寸法に合わせて間隔調節できる。従って、本例のロールコンテナ１では、芯棒３の長さが１４８０mmまでの長さの各種ロール２に対応可能である。
【００４５】
次に、図６で示したように、ロール支持板８上にロール２の両端を支持して後、ゴムバンド２５を取付ける。この取付けは、ゴムバンド２５の金具を止め金２４に引掛けることで容易に行える。
【００４６】
各壁面体９（９Ｒ、９Ｌ）、１０（１０Ｆ、１０Ｒ）の組立ては、図３に示した手順で行うことができる。即ち、側面壁面体９Ｌ、９Ｒを図１（ａ）、（ｂ）で示した手順で嵌合させて自立させ、次いで図２で示した手順で前後面の壁面体１０（１０Ｆ、１０Ｒ）を上から挿し込む形で取付ける。いずれも重量２〜５kg程度の軽いパネルであるので、手軽に組立てることができる。しかも、この状態で図１（ｂ）に示した突起及びその規制面２８、３３でロックされているので、安定であり、安全、容易、迅速に組立て処理できる。
【００４７】
全壁面体９、１０を組立てた後、蓋１２を被せ、面ファスナー３６で蓋をロックし、荷造り完了する。ロール重量は８００kgに及ぶので、全重量は１トン前後の重さになることもあるが、パレット基台５を鉄製とし、箱状体の耐荷重は６トンあるので、トラック荷台上に４〜５段積み上げることができる。樹脂製であるので風雨に強く、屋外配置して強度低下することもない。
【００４８】
図４に示す状態で光学フィルムのロール２を搬送し、フィルム加工工場に到着すると、荷を降ろし、所定の位置に配置して蓋１２を開き、図３に示す逆手順にて前後壁面体１０Ｆ、１０Ｒを１００mm程度上に持ち上げてピン３５を上に引き抜いて取り外し、次いで、側面壁面体９Ｌ、９Ｒを外に倒して上に引き抜くことにより壁面体９、１０を取り外し、ゴムバンド２５を外し、フォークリフト等を用いて芯棒３をワイヤー等で吊り上げ所望の位置へ持ち運ぶことができる。このとき、芯棒３の両端は左右に開かれているので、幅広のフォークリフトの爪を横方向から寄せつけることも可能である。即ち、リフト仕様を自由に設計でき、安全な取扱いができる。ワイヤー掛けのとき、フィルムに傷をつける恐れもない。フォークリフトの爪に芯棒３に対する特殊嵌合部材を設け、ロックして安全に運ぶこと等もできる。この場合、ワイヤーを用いず安定して支持できる。
【００４９】
本発明の光学式フィルムのロールコンテナは、光学式フィルム専用に使用できる本格的なロールコンテナとして発案されたものであるが、光学フィルム以外のフィルムロールに適用可能であることは勿論である。また、ロール支持板８を各種支持構造に変更することでロール以外の荷物を支持し搬送する箱状コンテナとすることができる。
【００５０】
本発明の箱状コンテナは、ロールコンテナを例として長さ１５００mm級の例で示したが、箱状コンテナのサイズは短くとも、又はより長くとも製作可能である。また、一対のガイドレール上に一対のロール支持板８Ｒ、８Ｌを設けた例で示したが、平行な二対のガイドレールを設け、夫々に一対のロール支持板８Ｒ、８Ｌを設けることにより２本のロール２を１つの箱内に収納して搬送する構成等とすることもできる。
【００５１】
本発明は、上記実施形態に限定されるものではなく、本発明の要旨を逸脱しない範囲で適宜設計的変更を加えることにより、各種態様で実施できる。
【図面の簡単な説明】
【００５２】
【図１】本発明の壁面構造の一実施形態を示す拡大説明図で、（ａ）図は組立及び分解時の中間状態を、（ｂ）図は組立時の固定状態を示している。
【図２】先組立部分に対する後組立部分の接合方式を示す拡大説明図で、（ａ）図は接合前の拡大斜視図、（ｂ）図は接合後の平面図を示す。
【図３】各壁面体及び蓋の組立て概要を示す斜視図である。
【図４】本発明の一実施形態に係るロールコンテナの組立後の全体構成を示す正面図である。
【図５】図４の右側面図である。
【図６】ロール支持板を拡大して示す正面図である。
【図７】図６のF−７、F−７線に沿って示す間隔調節部の拡大説明図である。
【図８】図４に示すロールコンテナの各部材を分解し、各壁面体を内部収納した形で肉薄箱状に形成した例を示す正面図である。
【符号の説明】
【００５３】
１  光学フィルムのロールコンテナ
２  フィルム巻取りロール
３  芯棒
４  爪挿入孔
５  パレット基台
６  ガイドレール
７  蝶番部材
８（８Ｒ、８Ｌ）  ロール支持板
９（９Ｒ、９Ｌ）  側面壁面体
１０（１０Ｆ、１０Ｒ）  前後面壁面体
１１（１１Ｓ、１１Ｎ）  壁面体支持アングル
１２  蓋
１３  位置ずれ防止手段
１４  支持板間隔調節手段
１５  移動体
１６  切り溝
１７  ボルト
１８  ツマミ
１９  ナット部材
２０  滑り止めテープ
２１  ワッシャ
２２  蝶番のヒンジ
２３  コイルばね
２４  止め金
２５  ゴムバンド
２６  滑り止めゴム
２７  壁面体の足部
２８  突起
２９  案内部材
３０  被案内部材
３１  足部の底面
３２  底面嵌合溝
３３  突起規制面
３４  ピン
３５  凹部
３６  面ファスナー
ｆ（ｆ１、ｆ２）  側部フレーム
ＳＬ  単純足
ＳＤ  単純溝
【図１】
2006347617.tif 000004
【図２】
2006347617.tif 000005
【図３】
2006347617.tif 000006
【図４】
2006347617.tif 000007
【図５】
2006347617.tif 000008
【図６】
2006347617.tif 000009
【図７】
2006347617.tif 000010
【図８】
2006347617.tif 000011